(57)【特許請求の範囲】
【請求項１】
皮膚に貼付可能な皮膚貼付用テープであって、
略一定の幅を有する線状に構成されるとともに、前記皮膚の表面を被覆する被覆部と、
前記被覆部に囲まれ、前記皮膚の表面を開放する開放部と、
を備え、
前記被覆部は、
中心部付近において六角形状の図形を形成する中心フレームと、
前記中心フレームの中心から外方向に所定距離毎に形成されるとともに、前記中心フレームを構成する各辺に略平行な辺により形成される周辺フレームと、
前記皮膚貼付用テープの外縁を形成する外枠フレームと、
張力が加えられる場合に、形状を保持する保持部と、
をさらに備え、
前記周辺フレームは、前記中心フレームにより形成される図形に相似し、
前記外枠フレームは、各辺が略直線状に構成されるとともに、長手方向の２辺が開放される略矩形状に構成され、
前記保持部は、前記中心フレームの各頂点から放射状に外側に延びるとともに、前記中心フレームと前記周辺フレームと前記外枠フレームの各頂点同士を連結させる皮膚貼付用テープ。
【請求項２】
皮膚に貼付可能な皮膚貼付用テープであって、
略一定の幅を有する線状に構成されるとともに、前記皮膚の表面を被覆する被覆部と、
前記被覆部に囲まれ、前記皮膚の表面を開放する開放部と、
を備え、
前記被覆部は、
中心部付近において六角形状の図形を形成する中心フレームと、
前記中心フレームの中心から外方向に所定距離毎に形成されるとともに、前記中心フレームを構成する各辺に略平行な辺により形成される周辺フレームと、
前記皮膚貼付用テープの外縁を形成する外枠フレームと、
張力が加えられる場合に、形状を保持する保持部と、
をさらに備え、
前記周辺フレームは、前記中心フレームにより形成される図形に相似し、
前記外枠フレームは、各辺が略直線状に構成されるとともに、四辺が閉塞される略矩形状に構成され、
前記保持部は、前記中心フレームの各頂点から放射状に外側に延びるとともに、前記中心フレームと前記周辺フレームと前記外枠フレームの各頂点同士を連結させる皮膚貼付用テープ。
【請求項３】
皮膚に貼付可能な皮膚貼付用テープであって、
略一定の幅を有する線状に構成されるとともに、前記皮膚の表面を被覆する被覆部と、
前記被覆部に囲まれ、前記皮膚の表面を開放する開放部と、
を備え、
前記被覆部は、
中心部付近において六角形状の図形を形成する中心フレームと、
前記中心フレームの中心から外方向に所定距離毎に形成されるとともに、前記中心フレームを構成する各辺に略平行な辺により形成される周辺フレームと、
前記皮膚貼付用テープの外縁を形成する外枠フレームと、
張力が加えられる場合に、形状を保持する保持部と、
をさらに備え、
前記周辺フレームは、前記中心フレームにより形成される図形に相似し、
前記外枠フレームは、各辺が略直線状に構成されるとともに、前記中心フレームにより形成される図形に相似する六角形状に構成され、
前記保持部は、前記中心フレームの各頂点から放射状に外側に延びるとともに、前記中心フレームと前記周辺フレームと前記外枠フレームの各頂点同士を連結させる皮膚貼付用テープ。
【請求項４】
前記開放部は、前記被覆部に囲まれる請求項１乃至３のいずれかに記載の皮膚貼付用テープ。
【請求項５】
前記開放部は、前記中心フレームにより囲まれて正面視略六角形状に構成される請求項１乃至４のいずれかに記載の皮膚貼付用テープ。
【請求項６】
複数の前記開放部は、正面視略同一の形状に構成される請求項１乃至５のいずれかに記載の皮膚貼付用テープ。
【請求項７】
複数の前記開放部は、隣接する前記開放部同士の距離が所定の長さに構成される請求項１乃至６のいずれかに記載の皮膚貼付用テープ。
【請求項８】
前記被覆部の背面側に接着材料が塗布される接着層の背面側を被覆するシール部は、所定の位置に前記シール部の分断を容易化する弱化部を備える請求項１乃至７のいずれかに記載の皮膚貼付用テープ。
【請求項９】
前記シール部は、前記被覆部の外縁より外側に拡張して構成される請求項８に記載の皮膚貼付用テープ。
【発明の詳細な説明】
【技術分野】
【０００１】
本発明は、皮膚貼付用テープに関する。
【背景技術】
【０００２】
従来、身体の各部に巻回させることにより、身体の各部に対応する経穴（ツボ）に作用する治療用テープが提供されている（例えば、特許文献１）。
【先行技術文献】
【特許文献】
【０００３】
【特許文献１】実用新案登録第３１１３８０５号公報
【発明の概要】
【発明が解決しようとする課題】
【０００４】
上記特許文献１において開示される治療用テープによると、身体に螺旋状に巻回される。そのため、皮膚表面がテープにより被覆されるため、皮膚呼吸を妨げるという問題点がある。
【０００５】
そこで、本発明は、上記従来の問題点を解決するべく、皮膚表面に貼付した場合に皮膚呼吸を良好に行うことが可能な皮膚貼付用テープを提供することを目的とする。
【課題を解決するための手段】
【０００６】
上記目的を達成するため、本発明は、皮膚に貼付可能な皮膚貼付用テープであって、略一定の幅を有する線状に構成されるとともに、前記皮膚の表面を被覆する被覆部と、前記被覆部に囲まれ、前記皮膚の表面を開放する開放部とを備え、前記被覆部は、中心部付近において六角形状の図形を形成する中心フレームと、前記中心フレームの中心から外方向に所定距離毎に形成されるとともに、前記中心フレームを構成する各辺に略平行な辺により形成される周辺フレームと、前記皮膚貼付用テープの外縁を形成する外枠フレームと、張力が加えられる場合に、形状を保持する保持部とをさらに備え、前記周辺フレームは、前記中心フレームにより形成される図形に相似し、前記外枠フレームは、各辺が略直線状に構成されるとともに、長手方向の２辺が開放される略矩形状に構成され、前記保持部は、前記中心フレームの各頂点から放射状に外側に延びるとともに、前記中心フレームと前記周辺フレームと前記外枠フレームの各頂点同士を連結させる。
【発明の効果】
【０００７】
本発明によると、皮膚貼付用テープが皮膚に貼付された場合に、皮膚表面の一部が開放されるため、皮膚呼吸を妨げるのを抑制することが可能となる。
【図面の簡単な説明】
【０００８】
【図１】本発明の第１実施形態における施術用テープの構成の一例を示す図である。
【図２】本発明の第１実施形態における施術用テープの構成の一例を示す図である。
【図３】本発明の第１実施形態における施術用テープの使用態様の一例を示す図である。
【図４】本発明の第１実施形態における施術用テープの構成の一例を示す図である。
【図５】本発明の第２実施形態における施術用テープの構成の一例を示す図である。
【図６】本発明の第２実施形態における施術用テープの構成の一例を示す断面図である。
【図７】本発明の第２実施形態における施術用テープの構成の一例を示す図である。
【図８】本発明の第３実施形態における施術用テープの構成の一例を示す図である。
【図９】本発明の第４実施形態における施術用テープの構成の一例を示す図である。
【図１０】本発明の第４実施形態における施術用テープの構成の一例を示す図である。
【図１１】本発明の第５実施形態における施術用テープの構成の一例を示す図である。
【発明を実施するための形態】
【０００９】
本発明者は、皮膚貼付用テープについて鋭意検討した結果、以下の知見を有するに至った。
【００１０】
本発明の一態様である皮膚貼付用テープは、皮膚に貼付可能な皮膚貼付用テープであって、前記皮膚の表面を被覆する被覆部と、前記皮膚の表面を開放する開放部とを備える。
【００１１】
このような構成により、皮膚の被覆すべき位置を的確に被覆することが可能となる。このような構成により、皮膚の一部を開放し、皮膚呼吸を妨げることを抑制可能となる。
【００１２】
本発明の一態様である皮膚貼付用テープにおいて、前記被覆部は、線状に構成されてもよい。
【００１３】
このような構成により、皮膚の所望の位置を被覆することが可能となる。このような構成により、筋肉の構造や神経の配列、或いは血流の経路に応じて所望の部位を被覆可能となる。
【００１４】
本発明の一態様である皮膚貼付用テープにおいて、前記被覆部は、所定の幅を有する複数の線状に構成されるとともに、互いに交わり合うよう構成されてもよい。
【００１５】
このような構成により、身体の動作により被覆部が切断されるのを抑制可能となる。このような構成により、貼付部位を良好に被覆可能となる。
【００１６】
本発明の一態様である皮膚貼付用テープにおいて、前記被覆部は、張力が加えられる場合に、形状を保持する保持部をさらに備えてもよい。
【００１７】
このような構成により、皮膚貼付用テープの形状が崩れるのを抑制可能となる。このような構成により、被覆部が断裂するのを抑制可能となる。
【００１８】
本発明の一態様である皮膚貼付用テープにおいて、前記開放部は、前記被覆部に囲まれて構成されてもよい。
【００１９】
このような構成により、皮膚の被覆される領域内に開放される領域が設定されるため、皮膚呼吸を良好に維持可能となる。
【００２０】
本発明の一態様である皮膚貼付用テープにおいて、前記開放部は、正面視略六角形状に構成されてもよい。
【００２１】
このような構成により、皮膚細胞の形状に応じて皮膚を開放することが可能となる。
【００２２】
本発明の一態様である皮膚貼付用テープにおいて、複数の前記開放部は、正面視略同一の形状に構成されてもよい。
【００２３】
このような構成により、皮膚の開放部位の偏頗を抑制可能となる。
【００２４】
本発明の一態様である皮膚貼付用テープにおいて、複数の前記開放部は、隣接する前記開放部同士の距離が所定の長さに構成されてもよい。
【００２５】
このような構成により、皮膚の開放部位の偏頗を抑制可能となる。
【００２６】
本発明の一態様である皮膚貼付用テープは、前記被覆部の背面側に接着材料が塗布されてなる接着部と、前記接着部の背面側を被覆するシール部とをさらに備えてもよい。
【００２７】
このような構成により、接着材料が空気に接触するのを防止可能となる。
【００２８】
本発明の一態様である皮膚貼付用テープにおいて、前記シール部は、所定の位置に前記シール部の分断を容易化する弱化部を備えてもよい。
【００２９】
このような構成により、シール部の剥離を効率的に行うことが可能となる。
【００３０】
本発明の一態様である皮膚貼付用テープにおいて、前記シール部は、前記開放部の少なくとも一面を閉塞可能に構成されてもよい。
【００３１】
このような構成により、シール部は被覆部と開放部の両方に及ぶため、使用時にシール部の剥離を効率的に行うことが可能となる。
【００３２】
本発明の一態様である皮膚貼付用テープにおいて、前記シール部は、前記被覆部の外縁より外側に拡張して構成されてもよい。
【００３３】
このような構成により、シール部の剥離を効率的に行うことが可能となる。
【００３４】
本発明の一態様である皮膚貼付用テープにおいて、前記被覆部は、正面視所定の幅を有するよう構成されてもよい。
【００３５】
このような構成により、被覆部に一定程度の強度を確保することが可能となる。
【００３６】
本発明の一態様である皮膚貼付用テープにおいて、前記被覆部は、所定の幅を有する線により外縁を形成する図形状に構成されてもよい。
【００３７】
このような構成により、皮膚貼付用テープの装飾性を高めることが可能となる。
【００３８】
本発明の一態様である皮膚貼付用テープにおいて、前記被覆部は、所定の幅を有する線により複数の図形状に構成されるとともに、少なくとも一点において交わるよう構成されてもよい。
【００３９】
このような構成により、皮膚貼付用テープの装飾性を高めることが可能となる。このような構成により、断裂を抑制可能となる。
【００４０】
本発明の一態様である皮膚貼付用テープにおいて、前記開放部は、正面視多角形状に構成される中央開放部をさらに備え、前記被覆部は、前記中央開放部を囲む中央フレーム部と、前記中央フレーム部から外方向に所定距離毎に配設されるとともに、前記中央フレーム部を形成する線の各々と略平行に配設される線を有する周辺フレーム部とをさらに備え、前記保持部は、前記周辺フレーム部と交わるよう構成されてもよい。
【００４１】
このような構成により、皮膚呼吸を良好に行わせることが可能となる。このような構成により、被覆部の強度を高めることが可能となる。
【００４２】
本発明の一態様である皮膚貼付用テープにおいて、前記被覆部は、中心部付近において所定の図形状に形成されるとともに、中心部から離れる方向に所定距離毎に前記図形状に相似する形状に構成されてもよい。
【００４３】
このような構成により、身体の可動部位に皮膚貼付用テープを貼付可能となる。このような構成により、皮膚貼付用テープの中心部により身体の可動部位を被覆するとともに、可動部位の周辺まで被覆することが可能となる。このような構成により、身体の可動によっても被覆するが断裂するのを抑制可能である。
【００４４】
本発明の一態様である皮膚貼付用テープにおいて、前記被覆部は、所定の図形状に外縁を形成してもよい。
【００４５】
このような構成により、外縁から中心部にかけて順に前記被覆部をシール部から剥離して身体に貼付でき、作業効率が高まる。
【００４６】
本発明の一態様である皮膚貼付用テープにおいて、前記被覆部は、外縁を形成する所定の図形の一部又は全部を開放するよう構成されてもよい。
【００４７】
このような構成により、皮膚貼付用テープが身体の可動部位に貼付された場合に、身体の動きを妨げるのを抑制可能となる。
【００４８】
本発明の一態様である皮膚貼付用テープは、皮膚に貼付可能な皮膚貼付用テープであって、前記皮膚の表面を被覆する被覆部を備え、前記被覆部は、所定形状に分断することにより前記皮膚の表面を開放する孔を形成可能なカットライン（ミシン罫）をさらに備える。
【００４９】
このような構成により、ユーザーは、必要に応じて皮膚呼吸を良好に行わせることが可能となる。
【００５０】
本発明の一態様である皮膚貼付用テープにおいて、前記開放部は、長手方向に連続して複数形成されてもよい。
【００５１】
このような構成により、皮膚貼付用テープを使用する際に所定の位置でカットしても、開放部が形成されるため、皮膚呼吸を良好に行わせることが可能となる。
【００５２】
本発明の一態様である皮膚貼付用テープにおいて、前記開放部は、長手方向に連続して所定のパターンに基づいて形成されてもよい。
【００５３】
このような構成により、皮膚貼付用テープを使用する際に所定の位置でカットした場合に、開放部が均質に形成されるため、皮膚呼吸を良好に行わせることが可能となる。
【００５４】
以下、本発明の実施形態の一例を、図面に基づいて詳細に説明する。なお、同一の構成部材に対しては同一の符号を付し、これに関する重複する説明を省略する。本発明における皮膚貼付用テープは、施術用テープであってもよいし、装飾用テープであってもよく、或いは、皮膚表面に貼付されるいかなる用途のテープであってもよい。
【００５５】
本発明における皮膚貼付用テープは、長手方向に巻回される構成であってもよいし、分断されて矩形など所定の形状に構成されてもよい。本発明における皮膚貼付用テープは、接着材料とともに、或いは接着材料に代えて膏薬を備えてもよい。
【００５６】
（第１実施形態）
本発明の一実施態様として、第１実施形態において施術用テープ１を示す。図１は、第１実施形態における施術用テープ１の構成の一例を示す図である。施術用テープ１は、皮膚の表面を被覆する被覆部２と、被覆部２の背面に接する接着部４とを備える。
【００５７】
施術用テープ１は、幅方向に２．５センチメートル、３．７５センチメートル、５センチメートル、或いは７．５センチメートルの長さを有する。これらに限られず、被覆部２は幅方向に所望の長さを備えてもよい。
【００５８】
被覆部２は、後述するように被覆部２の背面側に接着材料を塗布されてなる接着部４と接する。接着部４がユーザーの表皮に接すると、被覆部２は表皮外面を被覆する。
【００５９】
被覆部２は、樹脂により形成されてもよいし、不織布等の布により形成されてもよい。被覆部２は、線状に構成される。これにより、皮膚の所望の位置を被覆することが可能となる。このような構成により、筋肉の構造や神経の配列、或いは血液の流路に応じて所望の部位を被覆可能となる。被覆部２は、所望の幅を有する線状に構成される。これにより、被覆部２は一定程度の強度を確保できる。
【００６０】
被覆部２は、複数の線状に構成されるとともに、互いに交わり合うように構成されてもよい。被覆部２は、網状に構成されてもよい。
【００６１】
施術用テープ１は、開放部３を備える。開放部３は、施術用テープ１を皮膚に貼付する場合に、皮膚表面を開放する部位、あるいは領域である。開放部３は、皮膚の表面を開放する。第１実施形態における施術用テープ１における開放部３は、被覆部２および接着部４を貫通する貫通孔である。開放部３は、正面視矩形状、弧状など所望の形状に構成されてもよい。
【００６２】
開放部３は、被覆部２に囲まれて形成されてもよい。被覆部２が複数の線状に形成されるとともに互いに交わることにより、被覆部２に囲まれる領域に開放部３が形成される。これにより、表皮外面を開放し、表皮による皮膚呼吸を良好に行わせることが可能となるのである。
【００６３】
好ましくは、開放部３は、五角形以上の角数を有する多角形状に構成される。図示の例では、開放部３は正面視六角形状に形成される。このように開放部３が五角形以上の角数の多角形に構成されることにより、四角形に構成される場合と比べて、相反する方向への引張り力に対する耐久性が高まる。
【００６４】
第１実施形態に示す施術用テープ１は、複数の開放部３を備える。複数の開放部３は、互いに相異する形状に構成されてもよい。複数の開放部３を備えることにより、施術用テープ１を貼付した場合に、皮膚における開放領域を確保し、良好に皮膚呼吸を行わせることが可能となる。
【００６５】
好ましくは、これら複数の開放部３は、略同一の形状に構成される。図示の例では、開放部３は、複数形成され、各々六角形の略同一形状に構成される。このように、略同一の形状に構成されることにより、施術用テープ１が貼付される範囲内において、偏りなく表皮外面を開放することが可能となる。
【００６６】
複数の開放部３は、施術用テープ１の長手方向に連続して形成されてもよい。このような構成により、施術用テープ１を使用する際に、ユーザーが長手方向における所望の位置でテープをカットした場合に、開放部３が形成されているため、貼付部位の皮膚呼吸を妨げるのを抑制可能となる。
【００６７】
複数の開放部は、施術用テープ１の長手方向に連続して所定のパターンに基づいて形成されてもよい。図１の例において、複数の開放部３は、幅方向に２又は３ずつ並べて形成され、それらが長手方向に所定の長さ毎に形成される。このように、所定のパターンに基づき複数の開放部３が形成されることにより、施術用テープ１を使用する際にユーザーが長手方向における所望の位置でテープをカットした場合に、開放部３が概ね均質に形成されるため、貼付部位の皮膚呼吸を妨げるのを良好に抑制可能となる。
【００６８】
複数の開放部３同士は、所定距離を有する。好ましくは、複数の開放部３同士は、所定間隔毎に配置されてもよい。より好ましくは、複数の開放部３は、各々の中心同士の距離が略同一に構成されてもよい。複数の開放部３が被覆部２内において偏りなく形成されることから、表皮による皮膚呼吸を良好に行わせることが可能となる。
【００６９】
開放部３の幅方向における長さは、被覆部２の幅方向における長さの２分の１以上の長さに構成されてもよい。これにより、表皮外面の開放箇所を良好に確保することが可能となる。好ましくは、開放部３の幅方向における長さは、被覆部２の幅方向における長さの３分の２以下に構成される。これにより、表皮外面を良好に開放するとともに、施術用テープ１の強度を保持することが可能となる。
【００７０】
複数の開放部３を備える被覆部２は、網目状に構成されてもよい。すなわち、開放部３同士の距離を短くすることにより、被覆部２は細い網目状になる。このように、被覆部２における開放部３同士の間を狭くすることにより、表皮における凹凸に応じて、細くなった被覆部２が良好に表皮に接着することが可能となる。
【００７１】
図２は、第１実施形態における施術用テープ１の構成の一例を示す断面図である。施術用テープ１は、被覆部２と、被覆部２の背面に接着材料を塗布してなる接着部４とを備える。接着部４を構成する接着材料は、公知の接着材料が適宜用いられる。
【００７２】
施術用テープ１は、接着部４の背面側を被覆するシール部５をさらに備える。シール部５は、接着部４に対して剥離可能に付着し、シール部５を閉塞して空気に触れるのを防止する。ユーザーに使用される前において、シール部５は接着部４の少なくとも一面を閉塞する。
【００７３】
ユーザーが施術用テープ１を使用する際に、シール部５は接着部４から剥離される。接着部４が表皮に接することにより、表皮を被覆することができる。
【００７４】
開放部３は、図２において示されていないが、被覆部２、接着部４およびシール部５を貫通する貫通孔として形成されてよい。これにより、施術用テープ１が表皮に貼付される場合に、表皮外面を開放し、表皮による皮膚呼吸を良好に行わせる。
【００７５】
図３は、第１実施形態における施術用テープ１の使用態様の一例を示す図である。施術用テープ１は、人体表皮上に貼付可能である。人体表皮に貼付する場合に、接着部４を表皮に接着させる。接着部４が剥離可能に表皮に接着することにより、被覆部２が表皮を被覆する。
【００７６】
被覆部２は、弾性を有する材料により構成されてもよい。この場合、被覆部２は、施術用テープ１を貼付する部位の形状に応じて変形可能である。被覆部２は、施術用テープ１が貼付されている状態での部位の動作に対応して伸縮可能である。施術用テープ１を貼付されている部位において、開放部３により表皮が開放される。
【００７７】
施術用テープ１は、これを貼付する部位の形状や患部の長さに応じて切断することにより、所望の長さに調整可能である。複数の開放部３は略同一形状に構成されることから、切断する箇所により開放部３の形状が大きく相違することはないため、表皮を良好に開放可能である。
【００７８】
さらに、複数の開放部３が被覆部２において所定間隔毎に配置される場合、切断する箇所により開放部３の数や表皮が開放される面積が大きく相違することはなく、表皮を良好に開放可能である。
【００７９】
図４は、第１実施形態における施術用テープ１の構成の一例を示す図である。被覆部２は、所定形状に分断可能なミシン罫７を備える。ミシン罫７は、切り込み等により形成される。
【００８０】
ミシン罫７は、開放部３の形状に対応する態様で構成される。ユーザーは、所望の位置のミシン罫７に沿って被覆部２の一部を分断することにより、開放部３を形成可能である。このような構成により、ユーザーは、必要に応じて開放部３を形成して皮膚呼吸を行わせることが可能となる。ミシン罫７は、略同一の形状に構成されてもよい。図示の例において、ミシン罫７により表示される開放部３が略同一の形状に形成される。
【００８１】
図示の例において、ミシン罫７により表示される開放部３は、正面視六角形状に構成される。これにより、ミシン罫７に沿って形成される開放部３は、皮膚細胞の形状に対応して皮膚の一部を開放することが可能となる。また、開放部３が矩形状に形成される場合に比べて、張力に対する耐久性が高まる。
【００８２】
好ましくは、ミシン罫７により表示される開放部３は、被覆部２内において各々所定距離毎に配置されてもよい。これにより、開放部３が偏頗することなく皮膚表面を開放することが可能となる。
【００８３】
好ましくは、ミシン罫７により表示される複数の開放部３の中心同士が所定距離を有するよう構成されてもよい。これにより、開放部３が偏りなく配置される。
【００８４】
（第２実施形態）
本発明の第２実施形態を説明する。第２実施形態において示す施術用テープ１は、被覆部２により外縁を形成される所定の図形状に構成される。図５に示す例は、矩形状に構成される。
【００８５】
被覆部２は、所定の幅を有する線により外縁を形成する図形状に構成される。これにより、施術用テープ１の装飾性が高まる。図示の例において、図形の外縁は閉塞される。被覆部２が外縁を形成する図形状に構成されることにより、施術用テープ１を使用する際に、外縁から中心部にかけて順にシール部５から剥離させることが可能である。これにより、作業効率が向上する。
【００８６】
図形の外縁を形成する線は、被覆部２における他の部分より太い幅を備えてもよい。これにより、身体に貼付している状態において、身体の動きによる外縁の断裂を抑制可能となる。外縁を形成する線が太く構成されることにより、シール部５から剥離させる場合に、外縁から中心部にかけて被覆部２が断裂するのを抑制しながら剥離させることが可能となる。
【００８７】
被覆部２は、所定の幅を有する複数の線状に構成されるとともに、互いに交わり合うよう構成される。図示の例では、被覆部２は、正面視六角形状に構成される。そして、被覆部２は、施術用テープ１の中心部から所定距離毎に相似の図形状に構成される。図示の例では、中心部付近に形成される正面視六角形状の図形から距離ｄを設け、相似する六角形状の図形が各々形成される。
【００８８】
このような構成により、身体の動作により被覆部２が切断されるのを抑制可能となる。また、このような構成により、貼付部位を良好に被覆可能となる。殊に、中心部から距離ｄを設けて相似する図形状に形成されることにより、患部を中心とする周辺を偏頗なく良好に被覆できる。
【００８９】
被覆部２は、張力に対して形状を保持する保持部２ａ（２）をさらに備える。これにより、施術用テープ１の形状が崩れるのを抑制可能である。また、被覆部２が断裂するのを抑制可能である。
【００９０】
保持部２ａ（２）は、中心部から距離ｄを設けて相似する図形と交差する。これにより、被覆部２の強度を高めることが可能となる。
【００９１】
保持部２ａ（２）は、被覆部２を構成する他の部位より幅が太く構成されてもよい。これにより、張力に対する耐久性が高まる。
【００９２】
開放部３は、被覆部２に囲まれて形成される。これにより、皮膚の被覆される領域内に開放される領域が設定されるため、皮膚呼吸を良好に維持可能となる。第２実施形態において、施術用テープ１の中心部に正面視六角形状の中央開放部３ａ（３）が形成される。中央開放部３ａ（３）は、被覆部２における六角形状の図形に囲まれて形成される。これにより、皮膚細胞の形状に応じて皮膚を開放することが可能となる。
【００９３】
図６は、第２実施形態における施術用テープ１の構成の一例を示す断面図である。図６は、図５における施術用テープ１のＡ−Ａ’断面図である。図６（ａ）の例では、シール部５は、接着部４の背面側を被覆する。
【００９４】
第２実施形態において、シール部は、開放部３の少なくとも一面を閉塞可能に構成される。図示の例では、シール部５は、開放部３の背面側を閉塞する。このような構成によると、シール部５は被覆部２と開放部３の両方に及ぶ。そのため、施術用テープ１を皮膚に貼付する際、ユーザーはシール部５を容易に剥離させることが可能となり、作業効率がより改善される。
【００９５】
図６（ｂ）の例では、図６（ａ）で示した場合とは異なり、シール部５は開放部３に及ばない。この場合、開放部３はシール部５により閉塞されない。シール部５は、接着部４のみを被覆するよう構成される。
【００９６】
図６（ｂ）の例に示す施術用テープ１が製造される際に、未だ開放部３が形成されていない被覆部２の背面側に接着材料を塗布して接着部４を形成し、さらにシール部５により接着部４を被覆する。そして、開放部３の形状に応じて、被覆部２と接着部４とシール部５とを貫通させ、開放部３を形成する。これにより、施術用テープ１の製造効率がより改善されるのである。
【００９７】
図７は、第２実施形態における施術用テープ１の構成の一例を示す正面図である。シール部５は、被覆部２の外縁より外側に拡張する拡張部５ａ（５）を備える。図示の例では、シール部５は、被覆部２および開放部３の背面側に配設される。シール部５は、被覆部２の外縁の外側に及ぶ拡張部５ａ（５）を備える。
【００９８】
一例として、施術用テープ１を使用する際に、ユーザーは、拡張部５ａ（５）を手指で挟持して被覆部２および開放部３からシール部５を剥離させる。拡張部５ａ（５）を備えることにより、シール部の剥離を効率的に行うことが可能となる。
【００９９】
図示の例とは異なり、シール部５は被覆部２の背面側に配設され、開放部３の背面側に配設されなくともよい。上述したように、製造過程において、開放部３の形状に応じて被覆部２と接着部４とシール部５とを貫通して、開放部３を形成可能である。これにより施術用テープ１の製造効率がより改善される。
【０１００】
シール部５は、所定の位置にシール部５の分断を容易化する切込み部５ｂ（５）を備えてもよい。図７の例において、シール部５は、長手方向に切込み部５ｂ（５）を備える。施術用テープ１を使用する際に、ユーザーは切込み部５ｂ（５）を挟んだ両側を互いに離反する方向に引っ張ることによりシール部５を分断する。そして、分断されたシール部５を各々被覆部２および開放部３から剥離させる。これにより、シール部５の剥離を効率的に行うことが可能となる。
【０１０１】
好ましくは、切込み部５ｂ（５）は、シール部５を略等分可能に配設される。図示の例では、切込み部５ｂ（５）は、長手方向に沿ってシール部５を略二等分するように配設される。ユーザーは、シール部５を二等分して、分断された辺からシール部５を剥離する。
【０１０２】
（第３実施形態）
次に、本発明の第３実施形態を説明する。第３実施形態において示す施術用テープ１において、被覆部２は、所定の幅を有する線により外縁を形成する図形状に構成される。
【０１０３】
図８は、第３実施形態における施術用テープ１の一例を示す図である。被覆部２は、略六角形状の外縁を形成する。このように構成されることにより、施術用テープ１の装飾性が高まる。
【０１０４】
図示の例において、被覆部２は、施術用テープ１の中央部において六角形状に構成される。被覆部２に囲まれて、正面視略六角形状の中央開放部３ａ（３）が形成される。このような構成により、皮膚細胞の形状に応じて皮膚を開放することが可能となる。
【０１０５】
被覆部２は、中心部から外方向に所定距離毎に配設される。図８の例において、被覆部２は、中央から放射状に複数の略六角形状に構成される。このような構成により、一例として患部を中心にして周辺まで被覆することが可能となる。このような構成により、一例として、肘や膝など可動部位を被覆して、屈曲した状態でも施術用テープ１が剥離するのを抑制可能となる。
【０１０６】
第３実施形態において、複数の方向の張力に対して形状を保持する保持部２ａ（２）を備える。これにより、施術用テープ１の形状をより良好に保持可能となる。図８の例において、３つの方向に保持部２ａ（２）が配設される。
【０１０７】
保持部２ａ（２）は、中心部において六角形状に形成される被覆部２の各頂点から放射状に外側に延びる。保持部２ａ（２）は、中心部から外方向に所定距離毎に配設される図形状の被覆部２を形成する線と交わる。このような構成により、被覆部２の強度を高めることが可能となる。
【０１０８】
（第４実施形態）
次に、本発明の第４実施形態を説明する。第４実施形態において示す施術用テープ１では、被覆部２により外縁を形成する図形が開放される構成を備える。
【０１０９】
図９は、第４実施形態における施術用テープ１の構成の一例を示す図である。中央部において、被覆部２は、略六角形状の図形を構成し、中央部から外側に放射状に略相似する形状の図形を各々構成する。
【０１１０】
第４実施形態において、被覆部２は、施術用テープ１の外縁を形成する図形が開放された構成を備える。被覆部２は、施術用テープ１の外縁を形成する図形を構成するとともに、少なくとも外縁の一部を開放する。これにより、外縁を形成する被覆部２が身体の動作等により断裂するのを防止可能となる。これにより、施術用テープ１の貼付部位の動きを妨げるのを抑制可能である。
【０１１１】
図示の例において、施術用テープ１の外縁は、対向する２辺が開放される略矩形状に構成される。これにより、一例として肘や膝など可動部位に施術用テープ１が貼付される場合に、貼付された状態で屈曲しても、外縁を形成する図形が開放されているため被覆部２が断裂するのを抑制可能である。また、施術用テープ１が貼付された身体の部位の動きを妨げるのを抑制可能である。
【０１１２】
被覆部２は、施術用テープ１の外縁を形成する図形の任意の部分を開放された構成を備えてもよい。
【０１１３】
中央部において、被覆部２に囲まれて中央開放部３ａ（３）が形成される。中央部から放射状に複数の図形を形成する被覆部２に囲まれて、複数の開放部３が形成される。これにより、皮膚呼吸を良好に維持可能となる。
【０１１４】
外縁を形成する被覆部２が開放された図形を形成し、開放された領域に端部開放部３ｂ（３）が形成される。端部開放部３ｂ（３）は、開放部３のうち、被覆部２により一部が開放されて囲まれることにより形成される。
【０１１５】
第４実施形態で例示する施術用テープ１において、外縁を形成する被覆部２は、閉塞された図形状に構成されてもよい。図１０は、図９に示した場合とは異なる施術用テープ１の構成の一例を示す図である。図１０に示す施術用テープ１において、外縁を形成する被覆部２は、除去可能な補助外縁部２ｂ（２）をさらに備える。
【０１１６】
補助外縁部２ｂ（２）は、外縁を形成する被覆部２と除去可能に一体形成される。補助外縁部２ｂ（２）は、外縁を形成する被覆部２の他の部分とともに、閉塞された図形を形成する。補助外縁部２ｂ（２）は、被覆部２の他の部分と同じ材料により構成されてもよい。補助外縁部２ｂ（２）は、外縁を形成する被覆部２における一部又は全部に用いられる。
【０１１７】
補助外縁部２ｂ（２）が外縁に配設された状態において、施術用テープ１を身体に貼付する場合、外縁から中心部にかけて順に被覆部２をシール部５から剥離させる。施術用テープ１の外縁は、補助外縁部２ｂ（２）と被覆部２の他の部分とにより閉塞された図形状に構成されるため、ユーザーは、外縁から中心部にかけて効率的に被覆部２をシール部５から剥離させることが可能となる。
【０１１８】
補助外縁部２ｂ（２）は、被覆部２における他の部分と接する箇所に除去を容易化する除去部２ｃ（２）を備える。除去部２ｃ（２）は被覆部２における他の部分に比べて薄く形成されてもよいし、ミシン罫により形成されてもよい。補助外縁部２ｂ（２）を除去することにより、施術用テープ１の外縁が開放されるため、身体の可動部位に貼付した場合に身体の動きを妨げることを抑制可能となる。
【０１１９】
図１０で示した例とは異なり、外縁を形成する被覆部２の全部が被覆部２における他の部分から除去可能に構成されてもよい。これにより、施術用テープ１の外縁がすべて開放される。施術用テープ１の外縁がすべて開放されることにより、身体の可動部位に貼付された場合に、身体の動きを妨げることを良好に抑制可能となる。
【０１２０】
（第５実施形態）
次に、本発明の第５実施形態を説明する。第５実施形態に示す施術用テープ１において、被覆部２は、所定の幅を有する線により外縁を形成する複数の図形状に構成されるとともに、少なくとも一点において交わる構成を備える。
【０１２１】
図１１は、第５実施形態における施術用テープ１の構成の一例を示す図である。被覆部２は、複数の図形状に構成される。図示される例において、被覆部２は、直径の異なる複数の略円形状に構成される。これにより、施術用テープ１の装飾性が高まる。
【０１２２】
被覆部２は、複数の図形が交わる結束部２ｄ（２）を備える。結束部２ｄ（２）は、被覆部２により形成される全ての図形が交わる構成であってもよいし、被覆部２により形成される一部の図形が交わる構成であってもよい。これにより、被覆部２により形成される各図形が一体性を備え、使用する際に効率的に皮膚に貼付可能となる。
【０１２３】
被覆部２により囲まれる領域に開放部３が形成される。開放部３は、四囲を被覆部２により囲まれてもよいし、一部が開放されてもよい。なお、結束部２ｄ（２）は、複数の図形が接するよう構成されてもよいし、重なるよう構成されてもよい。
【０１２４】
（変形例）
上記の実施形態において、本発明が適用される施術用テープ１の一例を説明した。しかしながら、上述したように本発明における皮膚貼付用テープは、施術用テープ１に限定されるものではなく、装飾用テープその他いかなる用途のテープであってもよい。また、本発明は上記実施形態に限定されるものではなく、種々の変形例が適用可能である。
【０１２５】
上記実施形態において、開放部３およびミシン罫７により表される開放部３の形状が角形である場合を説明したが、これに限られず、開放部３およびミシン罫７により表される開放部３の形状は円形状に構成されてもよい。
【０１２６】
上記実施形態において、施術用テープ１は所定幅を有する矩形状に構成される場合を説明したが、これに限られず、円形状に構成されてもよい。これにより、点を中心として周辺をテープにより被覆する必要がある場合に、被覆すべき部位を効率的に被覆可能となる。
【０１２７】
施術用テープ１は、表皮に貼付される前にミシン罫７に沿って切り取られてもよいし、表皮に貼付された後にミシン罫７に沿って切り取られてもよい。また、ミシン罫７により表示される複数の開放部３の形状に応じて全てのミシン罫７に沿って切り取られる必要はなく、ユーザーの選択により、一部のミシン罫７に沿って切り取られてもよい。
【０１２８】
上記実施形態において、開放部３は、被覆部２内において所定距離ごとに配置され、或いは各々の中心同士が所定距離を有するよう配置される場合を説明した。しかし、これに限られず、開放部３は、被覆部２内において偏在して配置されてもよい。例えば、被覆部２内において、開放部３が形成される領域と開放部３が形成されていない領域とを設けてもよい。
【０１２９】
被覆部２内において開放部３を偏在して配置することにより、ユーザーは用途に応じて開放部３が配置された領域を使用するか、或いは開放部３が配置されない領域を使用するか選択可能となる。
【符号の説明】
【０１３０】
１    施術用テープ（皮膚貼付用テープ）
２    被覆部
２ａ  保持部
３    開放部
４    接着部
５    シール部
５ａ  拡張部
５ｂ  切込み部（弱化部）
７    ミシン罫
【要約】
【課題】皮膚表面に貼付した場合に皮膚呼吸を良好に行わせる施術用テープを提供する。
【解決手段】皮膚に貼付可能な施術用テープ１において、皮膚の表面を被覆する被覆部２と、皮膚の表面を開放する開放部３とを備える施術用テープ１を提供する。
【選択図】図１【図１】
0006952377.tif 000002
【図２】
0006952377.tif 000003
【図３】
0006952377.tif 000004
【図４】
0006952377.tif 000005
【図５】
0006952377.tif 000006
【図６】
0006952377.tif 000007
【図７】
0006952377.tif 000008
【図８】
0006952377.tif 000009
【図９】
0006952377.tif 000010
【図１０】
0006952377.tif 000011
【図１１】
0006952377.tif 000012